(57)【要約】【課題】  臨機応変に対処することが可能なモニタシステムを提供すること。【解決手段】    モニタシステム１は、センサ装置２とドアセンサ装置３とモニタ装置４とを備えている。センサ装置２は、窓の施解錠状態を監視する。ドアセンサ装置３は、玄関ドアの状態を検出する。モニタ装置４は、センサ装置２やドアセンサ装置３により検出された監視対象の施解錠状態を報知する。モニタ装置４は、マイコン４３を備えている。マイコン４３は、モニタ装置４を在宅モードから警戒モードへ移行させるための操作が行われた旨を検出したとき、在宅モードから警戒モードへの移行を解除可能な警戒準備モードにモニタ装置４を設定する。【選択図】      図１
2006177025.tif 000002
【特許請求の範囲】
【請求項１】
監視対象の状態を検出するセンサ装置と、そのセンサ装置により検出された監視対象の状態を報知するモニタ装置とを備えたモニタシステムにおいて、
前記モニタ装置は、第１の態様で監視対象の状態を報知する第１モードから、第１の態様とは異なる第２の態様で監視対象の状態を報知する第２モードへ該モニタ装置を移行させるための操作が行われた旨を検出したとき、第１モードから第２モードへの移行を解除可能な準備モードにモニタ装置を設定する制御手段を備えたことを特徴とするモニタシステム。
【請求項２】
請求項１に記載のモニタシステムにおいて、
前記第１モードは、監視対象の状態が警報を発するべき状態であるときでも、警報を発することなく監視対象の状態を報知するモードである一方、
前記第２モードは、監視対象の状態が警報を発するべき状態であるときには、警報を発することで監視対象の状態を報知するモードであることを特徴とするモニタシステム。
【請求項３】
請求項２に記載のモニタシステムにおいて、
前記第２モードは、互いに異なる複数の警戒モードを含み、
前記制御手段は、モニタ装置を第１モードから第２モードへ移行させるための操作が行われた旨を検出したとき、第１モードから複数の警戒モードのいずれかへの移行を解除可能な警戒準備モードにモニタ装置を設定することを特徴とするモニタシステム。
【請求項４】
請求項３に記載のモニタシステムにおいて、
前記制御手段は、モニタ装置を第１モードから警戒準備モードを経由して複数の警戒モードのいずれかへ移行させて以後、モニタ装置を別の警戒モードへ移行させるための操作が行われた旨を検出したとき、警戒準備モードを経由することなく、モニタ装置を該別の警戒モードへ移行させることを特徴とするモニタシステム。
【請求項５】
請求項１〜請求項４のいずれか１項に記載のモニタシステムにおいて、
前記制御手段は、モニタ装置を第１モードから第２モードへ移行させるための操作が行われた旨を検出してモニタ装置を準備モードに設定して以後、第１モードから第２モードへの移行を解除するための操作が行われた旨を検出することなく所定時間が経過したとき、モニタ装置を第１モードから第２モードへ移行させることを特徴とするモニタシステム。
【請求項６】
請求項１〜請求項５のいずれか１項に記載のモニタシステムにおいて、
前記制御手段は、第２モード中に暗証コードが入力されたとき、第２モードを解除してモニタ装置を第２モードから第１モードへ移行させることを特徴とするモニタシステム。
【発明の詳細な説明】
【技術分野】
【０００１】
本発明は、監視対象の状態を監視するモニタシステムに関する。
【背景技術】
【０００２】
特許文献１には、住宅の窓の施解錠状態を監視するモニタシステム（施解錠状態監視装置）が開示されている。モニタシステムは、センサ装置（子機）とモニタ装置（親機）とを備えている。センサ装置は、窓の施解錠状態を検出する。そして、センサ装置は、該センサ装置毎に個別に設定されたＩＤコードと、自身が監視する窓の施解錠状態を示す状態コード（施錠状態コード又は解錠状態コード）とを含むＩＤコード信号を外部に送信する。
【０００３】
一方、モニタ装置は、センサ装置から送信されてくるＩＤコード信号を受信したとき、そのＩＤコード信号に含まれているＩＤコードからセンサ装置を特定する。そして、モニタ装置は、同じくＩＤコード信号に含まれている状態コードから、該特定したセンサ装置により監視されている窓の施解錠状態を認識する。そして、モニタ装置は、該窓が施錠状態にあるのか或いは解錠状態にあるのかを視覚的に報知する。その結果、モニタシステムが設置された住宅の家人は、モニタ装置による報知内容を一瞥するだけで窓の施解錠状態を的確に把握することができる。
【０００４】
ここで、モニタ装置には、在宅モードや警戒モードが存在する。在宅モードでは、窓の施解錠状態を視覚的に報知することが主に行われ、窓が解錠されたときにはブザーが短時間に亘って鳴動される。一方、警戒モードでは、窓が解錠されたときにはブザーが長時間に亘って鳴動される。
【特許文献１】特開２００２−１１５４２９号公報
【発明の開示】
【発明が解決しようとする課題】
【０００５】
ところで、窓のみならずドアの施解錠状態をもモニタ装置により報知することができれば、モニタシステムを用いた集中管理が実現できて都合がよい。しかし、窓は外出や帰宅に伴って家人が出入りするためのものでないが、ドアは外出や帰宅に伴って家人が出入りするためのものである。このため、モニタ装置を警戒モードに設定して外出した後、帰宅に伴ってドアを解錠したとき、モニタ装置のブザーが長時間に亘って鳴動されてしまう。そこで、このようなときでも、ドアを解錠してから所定時間が経過するまでの期間内に暗証コードを入力した場合に限り、モニタ装置のブザーが長時間に亘って鳴動されないようにすることが考えられる。これは、該期間内に暗証コードが入力されたとき、モニタ装置が警戒モードから在宅モードへ移行されることで実現される。
【０００６】
しかしながら、モニタ装置を在宅モードから警戒モードへ移行させるための操作が行われたとき、モニタ装置は直ちに在宅モードから警戒モードへ移行される。そして、このようにモニタ装置が一旦警戒モードへ移行されれば、該警戒モードを解除するためには、暗証コードの入力が必須である。つまり、モニタ装置を在宅モードから警戒モードへ移行させるための操作をたとえ誤って行ってしまった場合でも、該操作を取り消すことはできず、警戒モードを解除するために暗証コードを入力しなければならない。要するに、モニタ装置を在宅モードから警戒モードへ移行させるための操作を行って以後、該操作を取り消すためには、如何なる理由があろうとも、家人に対して暗証コードの入力を強いらせていた。
【０００７】
本発明は、このような問題点に着目してなされたものであって、その目的は、臨機応変に対処することが可能なモニタシステムを提供することにある。
【課題を解決するための手段】
【０００８】
上記の目的を達成するために、請求項１に記載の発明では、監視対象の状態を検出するセンサ装置と、そのセンサ装置により検出された監視対象の状態を報知するモニタ装置とを備えたモニタシステムにおいて、前記モニタ装置は、第１の態様で監視対象の状態を報知する第１モードから、第１の態様とは異なる第２の態様で監視対象の状態を報知する第２モードへ該モニタ装置を移行させるための操作が行われた旨を検出したとき、第１モードから第２モードへの移行を解除可能な準備モードにモニタ装置を設定する制御手段を備えたことを特徴とする。
【０００９】
請求項２に記載の発明では、請求項１に記載のモニタシステムにおいて、前記第１モードは、監視対象の状態が警報を発するべき状態であるときでも、警報を発することなく監視対象の状態を報知するモードである一方、前記第２モードは、監視対象の状態が警報を発するべき状態であるときには、警報を発することで監視対象の状態を報知するモードであることを特徴とする。
【００１０】
請求項３に記載の発明では、請求項２に記載のモニタシステムにおいて、前記第２モードは、互いに異なる複数の警戒モードを含み、前記制御手段は、モニタ装置を第１モードから第２モードへ移行させるための操作が行われた旨を検出したとき、第１モードから複数の警戒モードのいずれかへの移行を解除可能な警戒準備モードにモニタ装置を設定することを特徴とする。
【００１１】
請求項４に記載の発明では、請求項３に記載のモニタシステムにおいて、前記制御手段は、モニタ装置を第１モードから警戒準備モードを経由して複数の警戒モードのいずれかへ移行させて以後、モニタ装置を別の警戒モードへ移行させるための操作が行われた旨を検出したとき、警戒準備モードを経由することなく、モニタ装置を該別の警戒モードへ移行させることを特徴とする。
【００１２】
請求項５に記載の発明では、請求項１〜請求項４のいずれか１項に記載のモニタシステムにおいて、前記制御手段は、モニタ装置を第１モードから第２モードへ移行させるための操作が行われた旨を検出してモニタ装置を準備モードに設定して以後、第１モードから第２モードへの移行を解除するための操作が行われた旨を検出することなく所定時間が経過したとき、モニタ装置を第１モードから第２モードへ移行させることを特徴とする。
【００１３】
請求項６に記載の発明では、請求項１〜請求項５のいずれか１項に記載のモニタシステムにおいて、前記制御手段は、第２モード中に暗証コードが入力されたとき、第２モードを解除してモニタ装置を第２モードから第１モードへ移行させることを特徴とする。
【００１４】
以下、本発明の「作用」について説明する。
請求項１に記載の発明によると、モニタ装置を第１モードから第２モードへ移行させるための操作を行っても、モニタ装置が直ちに第１モードから第２モードへ移行される訳ではない。要するに、モニタ装置が第１モードから第２モードへ移行されるまでの猶予期間として準備モードが設けられている。このため、該猶予期間内に第１モードから第２モードへの移行を解除するための操作を行うことが可能となる。
【００１５】
請求項２に記載の発明によると、第２モード中に監視対象の状態が警報を発するべき状態となったとき、警報が発せられる。一方、第１モード中に監視対象の状態が警報を発するべき状態となったときでも、警報は発せられない。換言すれば、警報が発せられない状況を作り出したいにも拘わらず、誤って警報が発せられる状況を作り出すための操作を行ってしまった場合でも、暗証コードを入力することなく、誤操作を取り消すことが可能となる。従って、利便性を向上できる。
【００１６】
請求項３に記載の発明によると、モニタ装置を第１モードから第２モードへ移行させるための操作を行っても、モニタ装置が直ちに第１モードから複数の警戒モードのいずれかへ移行される訳ではない。要するに、モニタ装置が第１モードから第２モードへ移行されるまでの猶予期間として警戒準備モードが設けられている。このため、該猶予期間内に第１モードから第２モードへの移行を解除するための操作を行うことが可能となる。従って、臨機応変に対処することができる。
【００１７】
請求項４に記載の発明によると、モニタ装置が第１モードから警戒準備モードを経由して複数の警戒モードのいずれかへ移行されて以後、モニタ装置を別の警戒モードへ移行させるための操作が行われた場合、警戒準備モードを経由することなく、モニタ装置が該別の警戒モードへ移行される。つまり、モニタ装置が一旦第２モードへ移行されて以後、警戒準備モード中にて可能であった操作（第１モードから第２モードへの移行を解除するための操作）を行っても、第２モードは解除されない。従って、セキュリティレベルを向上できる。
【００１８】
請求項５に記載の発明によると、モニタ装置を第１モードから第２モードへ移行させるための操作を行って以後、所定時間が経過するまでの期間内に限り、第１モードから第２モードへの移行を解除するための操作を行うことが可能である。従って、該期間内において臨機応変に対処することができる。
【００１９】
請求項６に記載の発明によると、第２モード中に暗証コードを入力すれば、第２モードが解除されてモニタ装置が第２モードから第１モードへ移行させることが可能である。換言すれば、モニタ装置を第１モードから第２モードへ移行させるための操作を行って以後、モニタ装置が準備モードに設定されている期間内にあっては、第１モードから第２モードへの移行を解除するための操作を行えば、第１モードから第２モードへの移行が回避される。要するに、モニタ装置を第１モードから第２モードへ移行させるための操作をたとえ誤って行ってしまった場合でも、暗証コードを入力することなく、該操作を取り消すことが可能となる。従って、誤操作時において臨機応変に対処することができる。
【発明の効果】
【００２０】
本発明は、以上のように構成されているため、次のような効果を奏する。
請求項１〜請求項６のいずれか１項に記載の発明によれば、臨機応変に対処することができる。
【発明を実施するための最良の形態】
【００２１】
以下、本発明を住宅のモニタシステムに具体化した一実施形態を説明する。
図１に示すように、モニタシステム１は、センサ装置２とドアセンサ装置３とモニタ装置４とを備えている。センサ装置２は、窓（監視対象）の施解錠状態を検出するためのものである。ドアセンサ装置３は、ドア（監視対象）の施解錠状態を検出するためのものである。モニタ装置４は、センサ装置２やドアセンサ装置３により検出された監視対象の施解錠状態を報知するためのものである。モニタシステム１は、センサ装置２（送信側）やドアセンサ装置３（送信側）とモニタ装置４（受信側）との間で単方向通信が可能である。
【００２２】
本実施形態のモニタシステム１は、センサ装置２としてセンサ装置２Ａ〜２Ｄが存在する。センサ装置２Ａは、住宅１階の窓Ａの施解錠状態を検出するためのものである。センサ装置２Ｂは、住宅１階の窓Ｂの施解錠状態を検出するためのものである。センサ装置２Ｃは、住宅２階の窓Ｃの施解錠状態を検出するためのものである。センサ装置２Ｄは、住宅２階の窓Ｄの施解錠状態を検出するためのものである。一方、ドアセンサ装置３は、住宅１階の玄関ドアＥの施解錠状態を検出するためのものである。従って、本実施形態のモニタシステム１は、センサ装置２Ａ〜２Ｄの各々（送信側）やドアセンサ装置３（送信側）とモニタ装置４（受信側）との間で単方向通信が可能である。
【００２３】
尚、センサ装置２Ａ〜２Ｄの各々の構成は、互いに同様である。従って、センサ装置２Ａ〜２Ｄの各々の特徴点の説明を除いて、センサ装置２Ａ〜２Ｄの各々の共通点の説明をセンサ装置２の説明で代用する。
【００２４】
センサ装置２は、送信機能を有している。センサ装置２は、リードスイッチ２１、マイコン２２、送信回路２３、送信アンテナ２４を備えている。リードスイッチ２１は、窓の施解錠状態を検出するためのものである。リードスイッチ２１は、窓が施錠状態（ロック状態）にあるときＯＮ作動し、窓が施錠状態にある旨を示す検出信号をマイコン２２に出力する。一方、リードスイッチ２１は、窓が解錠状態（アンロック状態）にあるときＯＦＦ作動し、窓が解錠状態にある旨を示す検出信号をマイコン２２に出力する。
【００２５】
ちなみに、リードスイッチ２１は、窓を施解錠するために操作される被操作手段に内蔵された磁石を検出可能な磁気センサである。つまり、リードスイッチ２１は、窓が施錠されるのに際して、該被操作手段が操作されて磁石がリードスイッチ２１に近接されたとき、ＯＮ作動する。一方、リードスイッチ２１は、窓が解錠されるのに際して、該被操作手段が操作されて磁石がリードスイッチ２１から遠ざかったとき、ＯＦＦ作動する。
【００２６】
マイコン２２は、図示しないＣＰＵ、ＲＯＭ、ＲＡＭ等からなるＣＰＵユニットである。マイコン２２は、不揮発性のメモリ２２ａを備えている。メモリ２２ａには、センサ装置２毎に個別に設定されたＩＤコード（センサ装置２のＩＤコード）が記憶されている。ここで、センサ装置２Ａのメモリ２２ａには、第１ＩＤコードが記憶されている。センサ装置２Ｂのメモリ２２ａには、第２ＩＤコードが記憶されている。センサ装置２Ｃのメモリ２２ａには、第３ＩＤコードが記憶されている。センサ装置２Ｄのメモリ２２ａには、第４ＩＤコードが記憶されている。
【００２７】
マイコン２２は、リードスイッチ２１から検出信号が入力されたとき、センサ装置２のＩＤコードと、該センサ装置２により検出された窓の施解錠状態を示す状態コードとを含むＩＤコード信号を送信回路２３に出力する。つまり、マイコン２２は、リードスイッチ２１から窓が施錠状態にある旨を示す検出信号が入力されたとき、センサ装置２のＩＤコードと、窓が施錠状態にある旨を示す施錠状態コードとを含むＩＤコード信号を送信回路２３に出力する。一方、マイコン２２は、リードスイッチ２１から窓が解錠状態にある旨を示す検出信号が入力されたとき、センサ装置２のＩＤコードと、窓が解錠状態にある旨を示す解錠状態コードとを含むＩＤコード信号を送信回路２３に出力する。
【００２８】
送信回路２３は、マイコン２２から入力されたＩＤコード信号を所定周波数（本実施形態では４２６ＭＨｚ）の電波に変調する。送信アンテナ２４は、送信回路２３により変調されたＩＤコード信号を外部に送信するための媒体である。ちなみに、センサ装置２Ａから送信されるＩＤコード信号は、第１ＩＤコードを含む第１ＩＤコード信号である。センサ装置２Ｂから送信されるＩＤコード信号は、第２ＩＤコードを含む第２ＩＤコード信号である。センサ装置２Ｃから送信されるＩＤコード信号は、第３ＩＤコードを含む第３ＩＤコード信号である。センサ装置２Ｄから送信されるＩＤコード信号は、第４ＩＤコードを含む第４ＩＤコード信号である。
【００２９】
ドアセンサ装置３は、送信機能を有している。ドアセンサ装置３は、リードスイッチ３１、マイコン３２、送信回路３３、送信アンテナ３４を備えている。リードスイッチ３１は、ドアの施解錠状態を検出するためのものである。リードスイッチ３１は、ドアが施錠状態（ロック状態）にあるときＯＮ作動し、ドアが施錠状態にある旨を示す検出信号をマイコン３２に出力する。一方、リードスイッチ３１は、ドアが解錠状態（アンロック状態）にあるときＯＦＦ作動し、ドアが解錠状態にある旨を示す検出信号をマイコン３２に出力する。
【００３０】
ちなみに、リードスイッチ３１は、ドアを施解錠するために操作される被操作手段に内蔵された磁石を検出可能な磁気センサである。つまり、リードスイッチ３１は、ドアが施錠されるのに際して、該被操作手段が操作されて磁石がリードスイッチ３１に近接されたとき、ＯＮ作動する。一方、リードスイッチ３１は、ドアが解錠されるのに際して、該被操作手段が操作されて磁石がリードスイッチ３１から遠ざかったとき、ＯＦＦ作動する。
【００３１】
マイコン３２は、図示しないＣＰＵ、ＲＯＭ、ＲＡＭ等からなるＣＰＵユニットである。マイコン３２は、不揮発性のメモリ３２ａを備えている。メモリ３２ａには、ドアセンサ装置３毎に個別に設定されたＩＤコード（ドアセンサ装置３のＩＤコード）が記憶されている。ここで、メモリ３２ａには、第５ＩＤコードが記憶されている。
【００３２】
マイコン３２は、リードスイッチ３１から検出信号が入力されたとき、ドアセンサ装置３のＩＤコードと、該ドアセンサ装置３により検出されたドアの施解錠状態を示す状態コードとを含むＩＤコード信号を送信回路３３に出力する。つまり、マイコン３２は、リードスイッチ３１からドアが施錠状態にある旨を示す検出信号が入力されたとき、ドアセンサ装置３のＩＤコードと、ドアが施錠状態にある旨を示す施錠状態コードとを含むＩＤコード信号を送信回路３３に出力する。一方、マイコン３２は、リードスイッチ３１からドアが解錠状態にある旨を示す検出信号が入力されたとき、ドアセンサ装置３のＩＤコードと、ドアが解錠状態にある旨を示す解錠状態コードとを含むＩＤコード信号を送信回路３３に出力する。
【００３３】
送信回路３３は、マイコン３２から入力されたＩＤコード信号を所定周波数（本実施形態では４２６ＭＨｚ）の電波に変調する。送信アンテナ３４は、送信回路３３により変調されたＩＤコード信号を外部に送信するための媒体である。ちなみに、ドアセンサ装置３から送信されるＩＤコード信号は、第５ＩＤコードを含む第５ＩＤコード信号である。
【００３４】
モニタ装置４は、受信機能を有している。モニタ装置４は、受信アンテナ４１、受信回路４２、マイコン４３、表示部４４、ブザー４５を備えている。受信アンテナ４１は、センサ装置２やドアセンサ装置３から送信されてくるＩＤコード信号を受信するための媒体である。受信回路４２は、受信アンテナ４１によりＩＤコード信号が受信されたとき、そのＩＤコード信号を復調して受信信号を生成し、その受信信号をマイコン４３に出力する。
【００３５】
マイコン４３は、図示しないＣＰＵ、ＲＯＭ、ＲＡＭ、タイマ等からなるＣＰＵユニットである。マイコン４３は、不揮発性のメモリ４３ａを備えている。メモリ４３ａには、センサ装置２やドアセンサ装置３のＩＤコードと同一のＩＤコード（住宅側のＩＤコード）が記憶されている。本実施形態においてメモリ４３ａには、センサ装置２Ａの第１ＩＤコード、センサ装置２Ｂの第２ＩＤコード、センサ装置２Ｃの第３ＩＤコード、センサ装置２Ｄの第４ＩＤコード、ドアセンサ装置３の第５ＩＤコード、の各々と同一のＩＤコード（住宅側の第１ＩＤコード〜第５ＩＤコード）が記憶されている。
【００３６】
特に、図２に示すように、メモリ４３ａには、住宅側の各ＩＤコードの各々が、後述する表示部４４のＬＥＤ４４ａ〜４４ｅの各々と関連付けされて記憶されている。ちなみに、第１ＩＤコードは、ＬＥＤ４４ａと関連付けされている。第２ＩＤコードは、ＬＥＤ４４ｂと関連付けされている。第３ＩＤコードは、ＬＥＤ４４ｃと関連付けされている。第４ＩＤコードは、ＬＥＤ４４ｄと関連付けされている。第５ＩＤコードは、ＬＥＤ４４ｅと関連付けされている。
【００３７】
マイコン４３は、受信回路４２から受信信号が入力されたとき、その受信信号に含まれているＩＤコードと住宅側の各ＩＤコードのいずれかとが一致しているか否かを判断する。つまり、この場合、マイコン４３は、ＩＤコード照合を実行する。マイコン４３は、両ＩＤコードが一致したとき、該一致したＩＤコード（第１ＩＤコード〜第５ＩＤコードのいずれか）に関連付けされているＬＥＤ（ＬＥＤ４４ａ〜４４ｅのいずれか）に発光指令信号を出力する。また、マイコン４３は、受信回路４２から入力された受信信号に住宅側の各ＩＤコードのいずれかと同一のＩＤコードが含まれており、且つ同受信信号に解錠状態コードが含まれているとき、ブザー４５に鳴動指令信号を出力する。
【００３８】
表示部４４は、ＬＥＤ４４ａ〜４４ｅを備えている。ＬＥＤ４４ａ〜４４ｅの各々は、マイコン４３から発光指令信号が入力されたとき、発光する。ＬＥＤ４４ａ〜４４ｅの各々は、２色ＬＥＤである。つまり、ＬＥＤ４４ａ〜４４ｅの各々は、緑色に発光する一方、赤色にも発光する。ブザー４５は、マイコン４３から鳴動指令信号が入力されたとき、鳴動する。
【００３９】
ところで、モニタ装置４には、在宅モードや警戒モードが存在する。以下、監視対象の施解錠状態の報知態様をモード毎に説明する。
図３に示すように、表示部４４においてＬＥＤ４４ａ〜４４ｅの各々に対応する位置には、監視対象を示す表記が施されている。ちなみに、ＬＥＤ４４ａに対応する位置には、「１階窓Ａ」の表記が施されている。ＬＥＤ４４ｂに対応する位置には、「１階窓Ｂ」の表記が施されている。ＬＥＤ４４ｃに対応する位置には、「２階窓Ｃ」の表記が施されている。ＬＥＤ４４ｄに対応する位置には、「２階窓Ｄ」の表記が施されている。ＬＥＤ４４ｅに対応する位置には、「玄関ドアＥ」の表記が施されている。
【００４０】
そして、在宅モードにおいて１階の窓Ａが施錠状態にあるとき、ＬＥＤ４４ａが緑色に点灯される。同様に、在宅モードにおいて窓Ｂ（窓Ｃ、窓Ｄ）や玄関ドアＥが施錠状態にあるとき、ＬＥＤ４４ｂ（４４ｃ，４４ｄ）やＬＥＤ４４ｅが緑色に点灯される。
【００４１】
一方、在宅モードにおいて１階の窓Ａが解錠状態にあるとき、ＬＥＤ４４ａが赤色に点灯される。同様に、在宅モードにおいて窓Ｂ（窓Ｃ、窓Ｄ）や玄関ドアＥが解錠状態にあるとき、ＬＥＤ４４ｂ（４４ｃ，４４ｄ）やＬＥＤ４４ｅが赤色に点灯される。特に、在宅モードにおいて窓Ａ〜Ｄ及び玄関ドアＥの少なくとも１つが施錠状態から解錠状態に切り替わったとき、ブザー４５が短時間に亘って鳴動される。要するに、在宅モードは、監視対象の状態が警報を発するべき状態であるときでも、警報を発することなく監視対象の状態を報知するモードである。
【００４２】
これに対して、警戒モードにおいて１階の窓Ａが施錠状態にあるとき、ＬＥＤ４４ａが緑色に点灯される。同様に、警戒モードにおいて窓Ｂ（窓Ｃ、窓Ｄ）や玄関ドアＥが施錠状態にあるとき、ＬＥＤ４４ｂ（４４ｃ，４４ｄ）やＬＥＤ４４ｅが緑色に点灯される。
【００４３】
一方、警戒モードにおいて１階の窓Ａが解錠状態にあるとき、ＬＥＤ４４ａが赤色に点滅される。同様に、警戒モードにおいて窓Ｂ（窓Ｃ、窓Ｄ）や玄関ドアＥが解錠状態にあるとき、ＬＥＤ４４ｂ（４４ｃ，４４ｄ）やＬＥＤ４４ｅが赤色に点滅される。特に、警戒モードにおいて窓Ａ〜Ｄ及び玄関ドアＥの少なくとも１つが施錠状態から解錠状態に切り替わったとき、ブザー４５が長時間に亘って鳴動される。要するに、警戒モードは、監視対象の状態が警報を発するべき状態であるときには、警報を発することで監視対象の状態を報知するモードである。
【００４４】
尚、上記のように在宅モードや警戒モードにおいて監視対象の施解錠状態を報知するためには、予めセンサ装置２やドアセンサ装置３をモニタ装置４に登録しておく必要がある。しかし、該登録の手順は本発明の要部ではないため説明を割愛する。
【００４５】
次に、モニタシステム１の特徴点について説明する。
さて、本実施形態のモニタシステム１では、モニタ装置４を警戒モードに設定して外出した後、帰宅に伴って玄関ドアＥを解錠したときでも、玄関ドアＥを解錠してから所定時間が経過するまでの期間内に暗証コードを入力した場合に限り、モニタ装置４のブザー４５が長時間に亘って鳴動されないように配慮されている。
【００４６】
それを実現するため、モニタ装置４のマイコン４３は、警戒モードにおいて受信回路４２から玄関ドアＥが施錠状態にある旨を示す施錠状態コードを含む受信信号が入力されている状態で、同受信回路４２から玄関ドアＥが解錠状態にある旨を示す解錠状態コードを含む受信信号が入力されたとき、直ぐにはブザー４５に鳴動指令信号を出力しない。そして、マイコン４３は、このように受信回路４２から玄関ドアＥが解錠状態にある旨を示す解錠状態コードを含む受信信号が入力されてから暗証コードが入力されることなく所定時間が経過したとき、ブザー４５に鳴動指令信号を出力する。その結果、このようなとき、ブザー４５が長時間に亘って鳴動される。
【００４７】
換言すれば、家人に対して、ブザー４５が長時間に亘って鳴動されるのを回避するための猶予期間として所定時間が与えられている。従って、家人は、該猶予期間内に暗証コードを入力すればよい。
【００４８】
そこで、モニタ装置４は、「Ａ」スイッチ４６、「Ｂ」スイッチ４７、「Ｃ」スイッチ４８を備えている。「Ａ」スイッチ４６、「Ｂ」スイッチ４７、「Ｃ」スイッチ４８、の各々は、該猶予期間内に暗証コードを入力するために操作されるものである。「Ａ」スイッチ４６は、該「Ａ」スイッチ４６が操作されたとき、暗証コードとして「Ａ」を入力するための操作が行われた旨の検出信号をマイコン４３に出力する。「Ｂ」スイッチ４７は、該「Ｂ」スイッチ４７が操作されたとき、暗証コードとして「Ｂ」を入力するための操作が行われた旨の検出信号をマイコン４３に出力する。「Ｃ」スイッチ４８は、該「Ｃ」スイッチ４８が操作されたとき、暗証コードとして「Ｃ」を入力するための操作が行われた旨の検出信号をマイコン４３に出力する。
【００４９】
マイコン４３は、「Ａ」スイッチ４６から検出信号が入力されたとき、暗証コードとして「Ａ」が入力された旨を認識する。一方、マイコン４３は、「Ｂ」スイッチ４７から検出信号が入力されたとき、暗証コードとして「Ｂ」が入力された旨を認識する。他方、マイコン４３は、「Ｃ」スイッチ４８から検出信号が入力されたとき、暗証コードとして「Ｃ」が入力された旨を認識する。
【００５０】
ここで、本実施形態では、「Ａ」スイッチ４６、「Ｂ」スイッチ４７、「Ｃ」スイッチ４８、の少なくとも１つが用いられて、４桁の暗証コードが入力されることとする。尚、本実施形態においてメモリ４３ａには、正規の暗証コードとして「ＡＣＢＢ」が記憶されている。従って、本実施形態においてマイコン４３は、該猶予期間内に「Ａ」スイッチ４６が１回操作された後、「Ｃ」スイッチ４８が１回操作され、続けて「Ｂ」スイッチ４７が２回操作されたとき、モニタ装置４の警戒モードを解除してモニタ装置４を警戒モードから在宅モードへ移行させる。ちなみに、マイコン４３は、モニタ装置４の在宅モード中に「Ａ」スイッチ４６が操作されたとき、モニタ装置４の在宅モードを解除してモニタ装置４を在宅モードから警戒モードへ移行させる。
【００５１】
次に、モニタシステム１の最大の特徴点について説明する。
さて、本実施形態のモニタシステム１は、モニタ装置４の警戒モードとして、互いに異なる複数（本実施形態では２つ）の警戒モードを含む。つまり、本実施形態では、モニタ装置４の警戒モードとして、在宅警戒モードと外出警戒モードとが存在する。在宅警戒モードは、家人の在宅中に設定されることを前提とした警戒モードである。一方、外出警戒モードは、家人の外出に伴って設定されることを前提とした警戒モードである。以下、図４に示す状態遷移図を参照しながら、モニタ装置４のマイコン４３によるモード移行制御について説明する。
【００５２】
マイコン４３は、在宅モード中に「Ａ」スイッチ４６が操作されたとき、在宅モードを解除してモニタ装置４を在宅モードから在宅警戒準備モードへ移行させる。マイコン４３は、モニタ装置４を在宅警戒準備モードへ移行させてから「Ａ」スイッチ４６が操作されることなく所定時間（本実施形態では１０秒間）が経過したとき、在宅警戒準備モードを解除してモニタ装置４を在宅警戒準備モードから在宅警戒モードへ移行させる。
【００５３】
在宅警戒モード中に窓Ａ〜Ｄ及び玄関ドアＥの少なくとも１つが施錠状態から解錠状態に切り替わって以後、暗証コードが入力されることなく所定時間が経過したとき、ブザー４５が長時間に亘って鳴動される。ちなみに、このように在宅警戒モードにおいてブザー４５が鳴動されている状態で「Ａ」スイッチ４６が操作されたとき、ブザー４５の鳴動が停止される。
【００５４】
マイコン４３は、在宅警戒モード中に暗証コードが入力されたとき、在宅警戒モードを解除してモニタ装置４を在宅警戒モードから在宅モードへ移行させる。例えば、マイコン４３は、在宅警戒モード中に窓Ａ〜Ｄ及び玄関ドアＥの少なくとも１つが施錠状態から解錠状態に切り替わって以後、所定時間が経過するまでの期間内に暗証コードが入力されたとき、在宅警戒モードを解除してモニタ装置４を在宅警戒モードから在宅モードへ移行させる。
【００５５】
マイコン４３は、在宅警戒モード中に「Ａ」スイッチ４６が操作されたとき、在宅警戒モードを解除してモニタ装置４を在宅警戒モードから外出警戒モードへ移行させる。
外出警戒モード中に窓Ａ〜Ｄ及び玄関ドアＥの少なくとも１つが施錠状態から解錠状態に切り替わって以後、暗証コードが入力されることなく所定時間が経過したとき、ブザー４５が長時間に亘って鳴動される。ちなみに、このように外出警戒モードにおいてブザー４５が鳴動されている状態で「Ａ」スイッチ４６が操作されても、ブザー４５の鳴動は停止されない。ただし、かかる状態で暗証コードが入力されたとき、ブザー４５の鳴動が停止される。
【００５６】
マイコン４３は、外出警戒モード中に暗証コードが入力されたとき、外出警戒モードを解除してモニタ装置４を外出警戒モードから在宅モードへ移行させる。例えば、マイコン４３は、外出警戒モード中に窓Ａ〜Ｄ及び玄関ドアＥの少なくとも１つが施錠状態から解錠状態に切り替わって以後、所定時間が経過するまでの期間内に暗証コードが入力されたとき、外出警戒モードを解除してモニタ装置４を外出警戒モードから在宅モードへ移行させる。
【００５７】
ここで、本実施形態のモニタシステム１は、マイコン４３がモニタ装置４を在宅警戒準備モードや外出警戒準備モードに設定する点に最大の特徴がある。
即ち、上記したように、マイコン４３は、在宅モード中に「Ａ」スイッチ４６が操作されたとき、モニタ装置４を在宅警戒準備モードに設定する。つまり、マイコン４３は、モニタ装置４を在宅モードから警戒モード（在宅警戒モードと外出警戒モードとを含む上位概念）へ移行させるための操作が行われた旨を検出したとき、モニタ装置４を警戒準備モード（在宅警戒準備モードと外出警戒準備モードとを含む上位概念）に設定する。警戒準備モードとは、在宅モードから警戒モードへの移行を解除可能な準備モードである。
【００５８】
従って、マイコン４３は、在宅警戒準備モード中に「Ａ」スイッチ４６が操作されたとき、在宅警戒準備モードを解除してモニタ装置４を在宅警戒準備モードから外出警戒準備モードへ移行させる。加えて、マイコン４３は、外出警戒準備モード中に「Ａ」スイッチ４６が操作されたとき、外出警戒準備モードを解除してモニタ装置４を外出警戒準備モードから在宅モードへ移行させる。
【００５９】
一方、マイコン４３は、モニタ装置４を在宅警戒準備モードに設定して以後、「Ａ」スイッチ４６が操作されることなく所定時間（本実施形態では１０秒間）が経過したとき、在宅警戒準備モードを解除してモニタ装置４を在宅警戒準備モードから在宅警戒モードへ移行させる。つまり、マイコン４３は、モニタ装置４を在宅モードから警戒モードへ移行させるための操作が行われた旨を検出してモニタ装置４を警戒準備モードに設定して以後、在宅モードから警戒モードへの移行を解除するための操作が行われた旨を検出することなく所定時間が経過したとき、モニタ装置４を在宅モードから警戒モードへ移行させる。
【００６０】
他方、マイコン４３は、モニタ装置４を外出警戒準備モードに設定して以後、「Ａ」スイッチ４６が操作されることなく所定時間（本実施形態では１０秒間）が経過したとき、外出警戒準備モードを解除してモニタ装置４を外出警戒準備モードから外出警戒モードへ移行させる。
【００６１】
最後に、マイコン４３は、在宅警戒モード中に「Ａ」スイッチ４６が操作されたとき、在宅警戒モードを解除してモニタ装置４を在宅警戒モードから外出警戒モードへ移行させる。つまり、マイコン４３は、モニタ装置４を在宅モードから在宅警戒準備モードを経由して在宅警戒モードへ移行させて以後、モニタ装置４を外出警戒モードへ移行させるための操作が行われた旨を検出したとき、外出警戒準備モードを経由することなく、モニタ装置４を外出警戒モードへ移行させる。
【００６２】
以上、詳述したように本実施形態によれば、次のような作用、効果を得ることができる。
（１）モニタ装置４を在宅モードから警戒モードへ移行させるための操作を行っても、モニタ装置４が直ちに在宅モードから警戒モードへ移行される訳ではない。要するに、モニタ装置４が在宅モードから警戒モードへ移行されるまでの猶予期間として警戒準備モードが設けられている。このため、該猶予期間内に在宅モードから警戒モードへの移行を解除するための操作を行うことが可能となる。従って、臨機応変に対処することができる。
【００６３】
（２）警戒モード中に監視対象の状態が警報を発するべき状態となったとき、警報が発せられる。一方、在宅モード中に監視対象の状態が警報を発するべき状態となったときでも、警報は発せられない。換言すれば、警報が発せられない状況を作り出したいにも拘わらず、誤って警報が発せられる状況を作り出すための操作を行ってしまった場合でも、暗証コードを入力することなく、誤操作を取り消すことが可能となる。従って、利便性を向上できる。
【００６４】
（３）モニタ装置４が在宅モードから在宅警戒準備モードを経由して在宅警戒モードへ移行されて以後、モニタ装置４を外出警戒モードへ移行させるための操作が行われた場合、外出警戒準備モードを経由することなく、モニタ装置４が外出警戒モードへ移行される。つまり、モニタ装置４が一旦警戒モードへ移行されて以後、警戒準備モード中にて可能であった操作（在宅モードから警戒モードへの移行を解除するための操作）を行っても、警戒モードは解除されない。従って、セキュリティレベルを向上できる。
【００６５】
（４）モニタ装置４を在宅モードから警戒モードへ移行させるための操作を行って以後、所定時間が経過するまでの期間内に限り、在宅モードから警戒モードへの移行を解除するための操作を行うことが可能である。従って、該期間内において臨機応変に対処することができる。
【００６６】
（５）警戒モード中に暗証コードを入力すれば、警戒モードが解除されてモニタ装置４が警戒モードから在宅モードへ移行させることが可能である。換言すれば、モニタ装置４を在宅モードから警戒モードへ移行させるための操作を行って以後、モニタ装置４が警戒準備モードに設定されている期間内にあっては、在宅モードから警戒モードへの移行を解除するための操作を行えば、在宅モードから警戒モードへの移行が回避される。要するに、モニタ装置４を在宅モードから警戒モードへ移行させるための操作をたとえ誤って行ってしまった場合でも、暗証コードを入力することなく、該操作を取り消すことが可能となる。従って、誤操作時において臨機応変に対処することができる。
【００６７】
（６）モニタ装置４を在宅モードから警戒モードへ移行させるための「Ａ」スイッチ４６を兼用することで、在宅モードから警戒モードへの移行を解除することができる。要するに、在宅モードから警戒モードへの移行を解除するための解除スイッチを「Ａ」スイッチ４６とは別に設ける必要がない。従って、モニタ装置４が大型化するのを回避できる。
【００６８】
尚、前記実施形態は、次のように変更して具体化することも可能である。
・モニタ装置４が在宅モードから警戒モードへ移行されるまでの猶予期間として与えられる所定時間は「１０秒間」に限定されないことは言うまでもない。
【００６９】
・モニタ装置４の警戒モードとして、１つ又は互いに異なる３つ以上の警戒モードが含まれる構成を採用してもよい。
・工場内の複数の部屋の各々（監視対象）の状態（例えば、室内温度、室内湿度、室内照度等）を監視するモニタシステムに具体化してもよい。
【図面の簡単な説明】
【００７０】
【図１】モニタシステムの構成を示すブロック図。
【図２】モニタ装置のメモリの記憶内容を示す概念図。
【図３】モニタ装置の表示部を示す概略図。
【図４】モニタ装置のマイコンによるモード移行制御を説明するための状態遷移図。
【符号の説明】
【００７１】
１…モニタシステム、２（２Ａ〜２Ｄ）…センサ装置、３…ドアセンサ装置（センサ装置）、４…モニタ装置、４３…マイコン（制御手段）、Ａ〜Ｄ…窓（監視対象）、Ｅ…玄関ドア（監視対象）。
【図１】
2006177025.tif 000003
【図２】
2006177025.tif 000004
【図３】
2006177025.tif 000005
【図４】
2006177025.tif 000006